(57)【要約】【課題】  上階の床と下階の床との間に入力された相対変位力を有効に吸収することができるボルト接合部の制振構造を提供する。【解決手段】  第１圧接板をボルト軸力の作用方向に対峙する一対の外板で形成するとともに、第２圧接板を上記一対の外板間に挟み込まれる中板で形成し、ボルト接合部を、上階の床と下階の床との間に、前記外板及び前記中板の板面が前記上階の床及び下階の床と平行になるように配置する。【選択図】図１７
2008231912.tif 000002
【特許請求の範囲】
【請求項１】
互いに接合しようとする２つの鉄骨部材のうち、一方の鉄骨部材から第１圧接板を、かつ、他方の鉄骨部材から第２圧接板をそれぞれ一体に突設し、これら第１，第２圧接板を互いに重合するとともに、両圧接板間に相対移動を可能にしてボルト軸力を付加し、両圧接板間に入力される所定値以上の振動変位力により、これら両者の相対移動が許容され、このときに発生する摩擦抵抗力によって、上記２つの鉄骨部材間を制振するようにしたボルト接合部の制振構造において、
上記第１圧接板をボルト軸力の作用方向に対峙する一対の外板で形成するとともに、上記第２圧接板を上記一対の外板間に挟み込まれる中板で形成し、
前記ボルト接合部は、上階の床と下階の床との間に、前記外板及び前記中板の板面が前記上階の床及び下階の床と平行になるように配置されていることを特徴とするボルト接合部の制振構造。
【請求項２】
上記中板のボルト挿通孔を、上記外板および上記中板が相互にそれらの板面に沿って移動可能に形成したことを特徴とする請求項１に記載のボルト接合部の制振構造。
【請求項３】
上記外板と上記中板との重合部分に上記ボルト軸力を付加する経路に、ボルトの軸方向変位に対して弾発力の変動が略一定となる非線形ばね領域を備えた付勢手段を介在し、該ボルトに所定の軸力を発生させた状態で、該付勢手段が上記非線形ばね領域内でたわみ変形するように設定したことを特徴とする請求項１又は請求項２に記載のボルト接合部の制振構造。
【請求項４】
上記外板と上記中板との間に、複合摩擦材料で形成される摩擦板を介在させ、該摩擦板を、熱硬化型樹脂を結合材として、アラミド繊維，ガラス繊維，ビニロン繊維，カーボンファイバー，アスベストなどの繊維材料と、カシューダスト，鉛などの摩擦調整材と、硫酸バリュームなどの充填剤とからなる複合摩擦材料で形成したことを特徴とする請求項１から請求項３のいずれかに記載のボルト接合部の制振構造。
【請求項５】
上記外板および上記中板の少なくとも一方を耐食性の材料からなるものとしたことを特徴とする請求項１から請求項４のいずれかに記載のボルト接合部の制振構造。
【請求項６】
上記外板および上記中板の少なくとも一方と、上記摩擦板との間に耐食性のある材料からなる滑動板を介在させたことを特徴とする請求項１から請求項５のいずれかに記載のボルト接合部の制振構造。
【請求項７】
上記摩擦板がその摩擦抵抗力発生面に、摩擦熱を放散するとともに摩耗粉を取り込む凹部を有することを特徴とする請求項４から請求項６のいずれかに記載のボルト接合部の制振構造。
【発明の詳細な説明】
【技術分野】
【０００１】
本発明は、建物架構を構成する各鉄骨部材を結合する際に用いられるボルト接合部に適用して、地震や強風等により発生する建物架構の振動を効果的に制振するようにしたボルト接合部の制振構造に関する。
【背景技術】
【０００２】
鉄骨柱および鉄骨梁を互いに結合して構成される建物架構は一般に多層階ビルディングに適用され、この鉄骨構造の建物架構ではブレースが地震や風等の水平力に対する抵抗要素として用いられる。これら鉄骨柱や鉄骨梁およびブレースなどの鉄骨部材は、溶接やボルトを介して接合してラーメン架構が構成されるが、特にボルト接合した場合には、大地震や強風などによって過大な水平力が作用すると、剛結構造となるラーメン架構にあっても接合した２部材の接合部分にズレを生ずる。すると、このズレによって大きな摩擦抵抗力が発生され、この摩擦抵抗力によって上記地震や風による振動エネルギーが消耗されて、建物架構の制振機能が発揮される。
【０００３】
図１８は上記ボルト接合部の一例を示し、互いに接合しようとする一方の鉄骨部材から一体に一対の外板１，１ａが突設されているとともに、他方の鉄骨部材から一体に中板２が突設されており、一対の外板１，１ａ間に中板２を挟み込み、これら外板１，１ａと中板２とをボルト３で貫通してナット３ａ締めされる。中板２のボルト挿通孔は長孔４として形成され、引っ張り方向あるいは圧縮方向に過大な相対変位力Ｐが入力された場合には外板１，１ａと中板２との相対移動が許容される。
【発明の開示】
【発明が解決しようとする課題】
【０００４】
ところで、地震や強風などによって上記の制振構造に加わる外力には様々な方向成分が含まれるが、前述した制振構造にあっては、ボルト挿通孔が長孔に形成されているため、任意の方向から加わる外力のうち、長孔の長軸方向に加わる成分以外の成分に対しては充分な制振効果を得ることができない。これを防ぐには、例えば、複数の制振構造をそれぞれ長孔の方向を変えた状態で併設するといった方法も考えられるが、設置する制振構造が増えた分だけコストや施工費用が余分にかかる上、増えた制振構造の数だけ設置位置を確保しなければならなくなり適用範囲も狭くなる。
【０００５】
本発明はこのような問題に鑑みてなされたものであって、一つの面内におけるどの方向からの外力に対しても同等な制振効果を得ることができるボルト接合部の制振構造を提供することを目的とする。
【課題を解決するための手段】
【０００６】
かかる目的を達成するために本発明に係るボルト接合部の制振構造にあっては、互いに接合しようとする２つの鉄骨部材のうち、一方の鉄骨部材から第１圧接板を、かつ、他方の鉄骨部材から第２圧接板をそれぞれ一体に突設し、これら第１，第２圧接板を互いに重合するとともに、両圧接板間に相対移動を可能にしてボルト軸力を付加し、両圧接板間に入力される所定値以上の振動変位力により、これら両者の相対移動が許容され、このときに発生する摩擦抵抗力によって、上記２つの鉄骨部材間を制振するようにしたボルト接合部の制振構造において、上記第１圧接板をボルト軸力の作用方向に対峙する一対の外板で形成するとともに、上記第２圧接板を上記一対の外板間に挟み込まれる中板で形成し、
前記ボルト接合部は、上階の床と下階の床との間に、前記外板及び前記中板の板面が前記上階の床及び下階の床と平行になるように配置されている。
【０００７】
また、上記中板のボルト挿通孔を、上記外板および上記中板が相互にそれらの板面に沿って縦横に移動可能に形成してもよい。  
また、上記外板と上記中板との重合部分に上記ボルト軸力を付加する経路に、ボルトの軸方向変位に対して弾発力の変動が略一定となる非線形ばね領域を備えた付勢手段を介在し、該ボルトに所定の軸力を発生させた状態で、該付勢手段が上記非線形ばね領域内でたわみ変形するように設定してもよい。
【０００８】
また、上記外板と上記中板との間に、複合摩擦材料で形成される摩擦板を介在させ、該摩擦板を、熱硬化型樹脂を結合材として、アラミド繊維，ガラス繊維，ビニロン繊維，カーボンファイバー，アスベストなどの繊維材料と、カシューダスト，鉛などの摩擦調整材と、硫酸バリュームなどの充填剤とからなる複合摩擦材料で形成してもよい。
【０００９】
また、上記外板および上記中板の少なくとも一方を耐食性の材料からなるものとしてもよい。  
また、上記外板および上記中板の少なくとも一方と、上記摩擦板との間に耐食性のある材料からなる滑動板を介在させてもよい。  
さらに、上記摩擦板がその摩擦抵抗力発生面に、摩擦熱を放散するとともに摩耗粉を取り込む凹部を有することとしてもよい。
【００１０】
以上の構成により本発明のボルト接合部の制振構造の作用を以下述べると、上記第１圧接板をボルト軸力の作用方向に対峙する一対の外板で形成するとともに、上記第２圧接板を上記一対の外板間に挟み込まれる中板で形成し、前記ボルト接合部は、上階の床と下階の床との間に、前記外板及び前記中板の板面が前記上階の床及び下階の床と平行になるように配置されているので、上階の床と下階の床との間に相対変位力が入力された際に、外板及び中板が上階の床及び下階の床と平行に自在に相対移動して上階の床と下階の床との間の相対変位力を吸収して有効に制振機能を果たすことが可能となる。
【００１１】
また、上記中板のボルト挿通孔を、上記第１および第２の圧接板相互が摩擦面に沿って自在に移動できるように形成したので、２つの鉄骨部材間に相対変位力が入力された際に、ボルトが傾斜されてこじれを生ずることなくスムーズに相対移動することができ、一つの面内におけるどの方向からの外力に対しても同等な制振効果を得ることができる。
【００１２】
また、上記外板と上記中板との重合部分に上記ボルト軸力を付加する経路に、ボルトの軸方向変位に対して弾発力の変動が略一定となる非線形ばね領域を備えた付勢手段を介在し、該ボルトに所定の軸力を発生させた状態で、該付勢手段が上記非線形ばね領域内でたわみ変形するように設定したので、上記外板と上記中板との間の隙間の変動を上記付勢手段によって吸収することができ、このときの変動吸収によって付勢手段のたわみ量が変化した場合にあっても、該付勢手段が非線形ばね領域内に設定されているため、弾発力つまりボルトの軸力をほぼ一定に維持することができる。
【００１３】
つまり、振動入力が無い状態では上記外板と上記中板とは大きな静摩擦力をもって固定状態が維持されるが、所定値以上の振動変位力の入力によりこの固定状態から小さな動摩擦力を伴う相対移動状態に移行する際に、それぞれの接触面間に大きな反発力が発生し、これが大きな音や衝撃として現れるが、このときの反発力を上記付勢手段によりボルト軸力を変化することなく吸収できる。従って、皿ばねを入れることにより緩衝作用が生じ、過大振動力が入力された場合にも、音や衝撃の発生を抑制しつつ制振機能を十分に発揮することができる。
【００１４】
また、上記付勢手段は、上記外板と上記中板が相対移動する際の滑動面に摩耗が生じた場合にも、その弾発力がほぼ一定に維持されるため、摩擦抵抗力が低下するのを防止し、当初の制振機能が永続して発揮されることになる。
【００１５】
また、該摩擦板は熱硬化型樹脂を結合材として、アラミド繊維，ガラス繊維，ビニロン繊維，カーボンファイバー，アスベストなどの繊維材料と、カシューダスト，鉛などの摩擦調整材と、硫酸バリュームなどの充填剤とからなる複合摩擦材料で形成されるので、該摩擦板を、一定の摩擦係数を有する摩耗の著しく少ない部材として形成することができる。従って、上記外板と上記中板とが相対移動された際にも、これら外板および中板と、摩擦板との間の摩擦係数は常時ほぼ一定に維持され、音の発生もなく滑らかに滑るようになり、しかも滑動部分の摩耗がほとんどないためボルトの軸力もほぼ一定に維持される。
【００１６】
このため、上記外板と上記中板間の相対移動部分に発生する、上記摩擦係数と上記軸力との積として得られる摩擦抵抗力をほぼ一定に維持することができる。従って、２つの鉄骨部材間の減衰力特性が安定化され、延いては、当初設定した制振機能を長期に亘って維持することができる。
【００１７】
また、上記外板および上記中板の少なくとも一方を耐食性の材料からなるものとしたため、上記外板もしくは上記中板と、摩擦板とが対峙する滑動面の腐蝕などによる経時的な劣化を防ぐことができ、特にメンテナンスを施すことなく長期にわたって安定した滑り耐力、摩擦係数（μ）を維持することが可能になる。
【００１８】
また、上記外板および上記中板の少なくとも一方と、上記摩擦板との間に耐食性のある材料からなる滑動板を介在させることとしたため、滑動板と摩擦板とが対峙する滑動面の腐蝕などによる経時的な劣化を防ぐことができ、特にメンテナンスを施すことなく長期にわたって安定した滑り耐力、摩擦係数（μ）を維持することが可能になる。
【００１９】
また、上記摩擦板がその摩擦抵抗力発生面に、摩擦熱を放散するとともに摩耗粉を取り込む凹部を有することとしたので、摩擦ダンパ作動時に、上記凹部内の空気への摩擦熱の放散により、摩擦板の表面温度の上昇を防止し、摩擦板表面の炭化、脱落による摩耗粉の発生を防止できる。また、摩耗粉が発生しても凹部に取り込まれ、摩擦板と圧接板間の摩耗粉の滞留を防止できる。このため、圧接板が傷つき難くなるとともに、摩耗粉の転がり滑りも生じ難くなり、摩擦板と圧接板間の摩擦抵抗力を一定に維持することができ、安定した制振効果を得ることが可能となる。更には、摩耗粉の滞留を防止できるので、摩擦板および圧接板との摺動面から、摩耗粉の噛込等に起因した異音が発生することを防止でき、制振時の騒音を著く低減することができる。
【発明の効果】
【００２０】
本発明に係るボルト接合部の制振構造によれば、上記第１圧接板をボルト軸力の作用方向に対峙する一対の外板で形成するとともに、上記第２圧接板を上記一対の外板間に挟み込まれる中板で形成し、前記ボルト接合部は、上階の床と下階の床との間に、前記外板及び前記中板の板面が前記上階の床及び下階の床と平行になるように配置されているので、上階の床と下階の床との間に相対変位力が入力された際に、外板及び中板が上階の床及び下階の床と平行に自在に相対移動して上階の床と下階の床との間の相対変位力を吸収して有効に制振機能を果たすことが可能となる。
【発明を実施するための最良の形態】
【００２１】
以下、本発明の実施形態を添付図面を参照しつつ詳細に説明する。図１，図２は本発明にかかるボルト接合部の制振構造の一実施形態を示し、図１は要部の断面図、図２は要部の平面図である。
【００２２】
即ち、本発明の制振構造が適用されるボルト接合部は、図１に示すように第１圧接板としての上下一対の外板１０，１２と、該一対の外板１０，１２間に挟み込まれる第２圧接板としての中板１４とを備える。上記外板１０，１２および上記中板１４は、建物架構にあって、互いに接合される鉄骨部材の一方および他方からそれぞれ一体に突設される。
【００２３】
上記鉄骨部材としては鉄骨柱や鉄骨梁、更にはブレースなどがあり、垂直配置される鉄骨柱と水平配置される鉄骨梁とを、六面体の各辺を構成するように互いに接合して建物架構が構成される。上記ブレースは傾斜部分を備え、互いに隣設される鉄骨柱と鉄骨梁との間、または対向する上下鉄骨梁間に跨って接合される。なお、本発明のボルト接合部の制振構造を適用する箇所としての上記鉄骨柱と鉄骨梁との接合部構造の具体例、並びにブレース構造の具体例については、後に詳述する。
【００２４】
上記外板１０，１２および上記中板１４は互いに重合させた状態で、それぞれに形成したボルト挿通孔１０ａ，１２ａ，１４ａに高力ボルト１６を貫通させて、ナット１８で締め付けるようになっている。このナット１８の締付けによりボルトの軸力Ｎが発生し、この軸力Ｎはワッシャ２０，２０ａおよび大径ワッシャ３２，３２ａを介して上記外板１０，１２に伝達され、中板１４の挟み込み力として作用する。上記中板１４のボルト挿通孔１４ａは、上記外板１０，１２および上記中板１４が相互にそれらの板面に沿って縦横に移動可能に図２に示すようなボルト軸の太さよりも充分に大きな径を有する略円形に形成され、これにより、上記外板１０，１２および上記中板１４が相互にそれらの板面に沿う任意の縦横方向への相対移動が許容される。
【００２５】
ここで、本実施形態では上記一対の外板１０，１２と上記中板１４の両面との間に、複合摩擦材料で形成される摩擦板２２をそれぞれ介在する。この摩擦板２２は、熱硬化型樹脂を結合材として、アラミド繊維，ガラス繊維，ビニロン繊維，カーボンファイバー，アスベストなどの繊維材料と、カシューダスト，鉛などの摩擦調整材と、硫酸バリュームなどの充填剤とからなる複合摩擦材料で形成される。上記熱硬化型樹脂としては、フェノール樹脂，メラミン樹脂，フラン樹脂，ポリイミド樹脂，ＤＦＫ樹脂，グアナミン樹脂，エポキシ樹脂，キシレン樹脂，シリコーン樹脂，ジアリルフタレーン樹脂，不飽和ポリエステル樹脂などがある。
【００２６】
上記摩擦板２２は、図２に示したようにボルト挿通孔１４ａよりもやや大きな内径を有する円環状を呈し、円環の内側にボルト挿通孔１４ａを収容するようにして中板１４の両面に一対で配置される。一方、上記中板１４の摩擦板２２が接触される両面を適切に磨き仕上げして円滑面１４ｂとし、この円滑面１４ｂに上記摩擦板２２を摺接させることにより、中板１４と摩擦板２２との間で所定の摩擦係数μをもって滑動させるようになっている。
【００２７】
即ち、外板１０，１２と中板１４、及び高力ボルト１６とナット１８、並びに摩擦板２２等によりボルト接合部は摩擦ダンパ８として構成されている。
【００２８】
以上の構成により本実施形態のボルト接合部の制振構造にあっては、一対の外板１０，１２間に中板１４を挟み込んで、これらに貫通した高力ボルト１６をナット１８締めするにあたり、これら外板１０，１２と中板１４との間に摩擦板２２を介在させてあるので、地震や風などの外力によって建物架構が振動する際に、この振動による変位力が所定値を超えると、外板１０，１２と中板１４とは中板１４両面の円滑面１４ｂと上記摩擦板２２との滑動を伴って相対移動する。このとき、中板１４と摩擦板２２との間は高力ボルト１６の軸力Ｎをもって圧接されるとともに、所定の摩擦係数μが作用しており、これら中板１４と摩擦板２２とが滑動される際には、振動エネルギーがμ×Ｎの摩擦抵抗力Ｒに変換されて振動減衰され、建物架構の制振に寄与するようになっている。
【００２９】
このとき、上記摩擦板２２は、フェノール樹脂，メラミン樹脂，フラン樹脂，ポリイミド樹脂，ＤＦＫ樹脂，グアナミン樹脂，エポキシ樹脂，キシレン樹脂，シリコーン樹脂，ジアリルフタレーン樹脂，不飽和ポリエステル樹脂などの熱硬化型樹脂を結合材として、アラミド繊維，ガラス繊維，ビニロン繊維，カーボンファイバー，アスベストなどの繊維材料と、カシューダスト，鉛などの摩擦調整材と、硫酸バリュームなどの充填剤とからなる複合摩擦材料で形成されるので、該摩擦板２２は硬度が高く、かつ、強度に富む材質となって、一定の摩擦係数を有する摩耗の著しく少ない部材として形成することができる。
【００３０】
従って、外板１０，１２と中板１４とが相対移動された際にも、中板１４と摩擦板２２との間の摩擦係数μは常時ほぼ一定に維持され、かつ、滑動部分の摩耗がほとんどないため高力ボルト１６の軸力Ｎもほぼ一定に維持される。このため、上記外板１０，１２と中板１４との間の相対移動時に、上記摩擦係数μと上記軸力Ｎとの積として発生する摩擦抵抗力Ｒをほぼ一定に維持することができる。従って、上記外板１０，１２および上記中板１４とそれぞれ一体の２つの鉄骨部材間の摩擦減衰力特性、延いては、建物架構の振動に対する制振特性が安定化され、当初設定した制振機能を長期に亘って維持することができる。
【００３１】
ただし、この摩擦板２２と上記中板１４との摺動により生じる摩擦熱が大きい場合は、摩擦板２２の表面温度が著く上昇し、摩擦板表面が炭化し、摩耗粉として脱落し、この摩耗粉が摺動境界面に滞留してしまうことがあり得る。この摩耗粉は炭化物であるため非常に硬度が高く、上記摺動により中板１４を傷つけたり、上記摺動境界面に摩耗粉が介在して転がる等して、摩擦係数を変動させる虞がある。このような現象を生じた場合には、摩擦抵抗力が大幅に変化し、上記制振構造の制振性能に大きな変動を生じてしまい、安定した制振効果を得難くなる懸念がある。
【００３２】
そこでこの対策として、図１、図２に示すように、上記摩擦板２２には、上記中板１４との摺接面側に凹部として直線状の溝２１を縦横に複数本形成している。この溝２１は、上記摩擦板２２の摩擦抵抗力が発生する中板１４との摺接面に生じる摩擦熱を放散するとともに、摺接面の摩耗粉を取り込み排出する機能を持つ。すなわち、摩擦ダンパ作動時の摩擦板２２の摩擦熱を、上記溝２１内の空気へ放散することで、その表面温度の上昇を防止し、摩擦板表面の炭化、摩耗粉の脱落を防止する。また、万一摩耗粉が発生しても溝２１に取り込まれ、摩擦板２２と中板１４との摺接面の摩耗粉の滞留を防止する。このため、中板１４が傷つき難くなるとともに、摩耗粉の転がり滑りも生じ難くなり、摩擦板２２と中板１４間の摩擦抵抗力を一定に維持することができ、安定した制振効果を得ることが可能となる。更には、摩耗粉の滞留を防止できるので、摩擦板２２および圧接板１４との摺動面から、摩耗粉の噛込等に起因した異音が発生することを防止でき、制振時の騒音を著く低減することができる。
【００３３】
上記溝２１の深さ、幅、断面形状、本数は、発生する摩耗粉の予め想定される大きさや量、並びに摩擦板２２の表面温度等を勘案し設定される。すなわち、深さ、幅、断面形状は、主として摩耗粉を取り込める容積を有するように設定され、本数に関しては、上記表面温度が摩擦板２２の材料の使用限界温度以下となるように設定される。本実施形態の場合は、溝２１の断面形状は矩形で、その深さは摩擦板２２厚みの半分、またその本数は前述の要件を満たすように自由に設定可能であり、断面形状は半円形状でも良く、更に深さについては貫通していても良い。
【００３４】
また、上記溝２１の平面形状も、摩擦熱の放散効率が大きく、摩耗粉を取り込み得る容積を有していれば、直線に限るものではなく、円形等どのような形状の凹部に形成しても良い。ただし、熱の放散効率の観点から、冷却媒体である空気が流通し易いように、大気開放空間と連通した溝２１とするのが望ましく、また摩耗粉排出の観点からは、取り込まれた溝２１内の摩耗粉が自重で落下排出されるように、上記溝２１は、鉛直方向に直線状に貫通して形成されていることが望ましい。
【００３５】
尚、本実施形態においては、摩擦抵抗力が発生する摺接面が中板１４側であったため、摩擦板２２の溝２１を中板１４側に形成したが、摺接面側であればこれに限るものではない。つまり、摩擦板２２が中板１４に固設され、外板１０，１２と摺動し、摩擦抵抗力が外板１０，１２側に発生する場合は、摩擦板２２の外板１０，１２側に溝２１を形成すれば良い。
【００３６】
また、本実施形態では第１圧接板を上記一対の外板１０，１２で形成するとともに、第２圧接板を上記中板１４で形成し、かつ、該中板１４のボルト挿通孔１４ａを略円形に形成したので、２つの鉄骨部材間に相対変位力が入力された際に、一対の外板１０，１２間に中板１４が挟まれた状態で、上記外板１０，１２および上記中板１４が相互にそれらの板面に沿う任意の縦横方向へ自在に相対移動するため、一対の外板１０，１２間にボルト１６の軸力Ｎ、つまり締付け力を付加した状態で両者が滑動する際に、ボルト１６が傾斜されるなどしてこじれを生ずることなく、スムーズに相対移動することができる。
【００３７】
図３から図５は他の実施形態を示し、上記実施形態と同一構成部分に同一符号を付して重複する説明を省略して述べる。尚、図３は要部の断面図、図４は要部の平面図、図５はこの実施形態で用いられる付勢手段のばね特性図である。  
この実施形態が上記実施形態と主に異なる点は、高力ボルト１６の軸力Ｎを外板１０，１２に付加する経路に、ボルトの軸方向変位に対して弾発力の変動が略一定となる非線形ばね領域を備えた付勢手段を介装して摩擦ダンパ８として構成したものである。
【００３８】
即ち、この実施形態のボルト接合部の制振構造は、上記実施形態と同様に一対の外板１０，１２間に中板１４を挟み込んでボルト１６，ナット１８締めする際に、外板１０，１２と中板１４との間に摩擦板２２が介在されるようになっており、このように構成されたボルト接合部にあって、高力ボルト１６の頭部１６ａと一方の外板１０との間に、付勢手段としての皿ばね３０を介装するようになっている。
【００３９】
上記皿ばね３０のばね特性Ａは、図５に示すように高力ボルト１６の中心軸方向の変形量（見込み変化量）σに対して、荷重（弾発力）ｗの変動がほぼ一定となる非線形ばね領域Ｐを備えており、該皿ばね３０は上記高力ボルト１６に所定の軸力Ｎを付加した状態で上記非線形ばね領域Ｐ内に設定される。また、本実施形態では上記皿ばね３０は、複数枚の皿ばね単体を同一方向に積層して構成したものが用いられる。
【００４０】
従って、この実施形態では高力ボルト１６の頭部１６ａ側の大径ワッシャ３２と一方の外板１０との間に皿ばね３０を介在したので、外板１０，１２と中板１４との間の隙間の変動を該皿ばね３０によって吸収することができる。そして、このときの変動吸収によって皿ばね３０のたわみ量が変化した場合にあっても、該皿ばね３０が非線形ばね領域Ｐ内に設定されているため、弾発力つまり高力ボルト１６の軸力をほぼ一定に維持することができる。
【００４１】
つまり、振動入力が無い状態では上記外板１０，１２と上記中板１０とは、大きな静摩擦力をもって固定状態が維持されるが、振動入力によりこの固定状態から小さな動摩擦力を伴う相対移動状態に移行する際に、それぞれの接触面間に大きな反発力が発生し、これが大きな音や衝撃として現れる。しかし、上記皿ばね３０を設けたことにより、このときの反発力を上記皿ばね３０の弾性により高力ボルト１６の軸力Ｎを変化させることなく吸収できる。従って、過大振動力が入力された場合にも、皿ばね３０の緩衝作用により音や衝撃の発生を抑制しつつ建物架構の制振機能を十分に発揮することができる。
【００４２】
また、上記皿ばね３０が非線形ばね領域Ｐに設定されていることにより、該皿ばね３０の弾発力は外板１０，１２と中板１４とが相対移動する際の滑動面、つまり、摩擦板２２と中板１４との間の接触面にたとえ摩耗が生じたとしても、弾発力をほぼ一定に維持して摩擦抵抗力Ｒが低下するのを防止できる。従って、外板１０，１２と中板１４との接合部における当初の制振機能を永続して発揮することができる。
【００４３】
また、この実施形態では上記皿ばね３０を、一方の外板１０と高力ボルト１６の頭部１６ａ側の大径ワッシャ３２との間、つまり、外板１０，１２の一方側に介在させた場合を開示したが、これに限ることなく図６に示すように外板１０，１２の両方側、つまり、両外板１０，１２と高力ボルト１６の頭部１６ａ側およびナット１８側の大径ワッシャ３２，３２ａとの間にそれぞれ皿ばね３０を介装させることもできる。また、摩擦板２２は円環状に限ることなく、中心にボルト軸の径に等しい円孔を有する形状としてもよい。また、図示は省略したが皿ばね３０を、他方の外板１２とナット１８側の大径ワッシャ３２ａとの間のみに介装させることもできる。
【００４４】
更に、皿ばね３０を構成する皿ばね単体の組み合わせ配置構成は、本実施形態に示したように同一方向に複数枚を積層したものに限ることなく、これ以外にも本発明の皿ばね３０に求められる設定が可能である限り種々に変更して組み合わせて構成することができ、例えば、皿ばね単体を単数で用いたり、複数枚を並列に積層したり、その積層方向を正逆交互に向けたりすることができる。  
更にまた、この実施形態では付勢手段として皿ばね３０を用いた場合を開示したが、これに限ることなくボルトの軸方向変位に対して弾発力の変動が略一定となる非線形ばね領域を備えたばねであればよい。
【００４５】
ところで、上記各実施形態では摩擦板２２と中板１４との間で滑動させる構成であったが、摩擦板２２と外板１０，１２との間、もしくは、これら摩擦板２２と中板１４との間および摩擦板２２と外板１０，１２との間の両方で滑動させる構成も可能である。
【００４６】
また、上記各実施形態では中板１４もしくは外板１０，１２の滑動面を円滑面１４ｂとし、この円滑面１４ｂに摩擦板２２を摺接させるようにしているが、長期的に使用する場合には、腐蝕などの経時的な変化により中板１４もしくは外板１０，１２の円滑面１４ｂの均一性が損なわれ、滑動時に大きな摩擦音を生じたり衝撃が発生するといった問題を生じるおそれがある。
【００４７】
この問題は、例えば中板１４もしくは外板１０，１２にステンレス鋼材やチタンなどの耐食性の材料を採用することで解決される。また、中板１４や外板１０，１２と摩擦板２２との間の滑動面１４ｂにステンレス鋼材やチタンなどの耐食性のある材料からなる滑動板を介在させようにしてもよい。このようにすれば耐食性のある材料の使用量が必要最小限に抑えられ、材料費が節約されて経済設計にも繋がる。
【００４８】
上述した中板１４と摩擦板２２との間で滑動させる構成の制振構造において、中板１４の滑動面１４ｂに図７に示すような中央に円孔を有するステンレス製の滑動板Ｓを介在させるようにした場合の構成例を図８に示す。一方、上述した外板１０，１２と摩擦板２２との間で滑動させる方式において、外板１０，１２の滑動面に図９に示すような中央に円孔を有するステンレス製の滑動板Ｓを介在させるようにした場合の構成例を図１０に示す。また、前述したような皿バネを用いた構成も可能であり、この場合の構成例を図１１、１２に示す。さらに、円滑に滑動するよう、滑動板Ｓの滑動させる側の面に圧延、研磨・研削、ブラスト、塗装などのいずれかもしくは複数の処理を施して、表面粗さの均一化を図るとよい。また、滑動板Ｓの滑動する側の面とは反対側の面、すなわち、逆側の中板１４もしくは外板１０、１２との接触面には、滑動時に中板１４もしくは外板１０、１２に対して相対的な滑りを生じないよう、［1］表面に塗料を塗布（例えば、ステンレス鋼材専用の摩擦接合用塗料）、［2］接着剤による接着、［3］表面粗さの増大化を意図したブラスト・研削、［4］溶接、［5］ボルト・ビス止めなどのいずれかもしくは複数の処理を施すとよい。また、上述したように中板１４もしくは外板１０、１２を耐食性の材料とした場合には、これらの処理を中板１４もしくは外板１０、１２に施すとよい。また、メンテナンスフリーとするために上記滑動板Ｓ、上記中板１４、上記外板１０、１２の表面に防錆塗料を塗布するなどの表面処理を行うとよい。
【００４９】
図１３は上記本発明のボルト接合部の制振構造の適用対象の１つである鉄骨柱と鉄骨梁との接合部分を示す。図示するように、一般的に鉄骨柱５２と鉄骨梁５４とはＨ型鋼によって形成されて架構を構成する。鉄骨柱５２の梁接続部分には、鉄骨梁５４と同じＨ型鋼を短尺に切断したブラケット材５５を溶接して一体化し、このブラケット材５５に上記鉄骨梁５４の接続端部が結合される。図示例では上記ブラケット材５５は鉄骨柱５２のフランジ５２ａ面に溶接されるとともに、該ブラケット材５５の上下フランジ５５ａ，５５ｂ位置に対応して、鉄骨柱５２の両側フランジ５２ａ，５２ｂ間に跨って補剛材５７が溶接されている。
【００５０】
上記鉄骨梁５４の接続端は上記ブラケット材５５の先端に突き合わされ、これら鉄骨梁５４とブラケット材５５の互いに対応される上方フランジ５４ａと５５ａ、および下方フランジ５４ｂと５５ｂ、そして、ウェブ５４ｃと５５ｃとの各部に両部材間に跨ってその両面に添え板５８、５９が配置され、これらを貫通する高力ボルト１６にナット１８を螺合して締め付けることにより、上記鉄骨梁５４と上記ブラケット材５５つまり鉄骨柱５２とが結合される。
【００５１】
ここで、当該鉄骨柱５２と鉄骨梁５４との接合部において、本発明の制振構造は、上方フランジ５４ａと５５ａ、および下方フランジ５４ｂと５５ｂ、並びにウェブ５４ｃと５５ｃとのボルト接合部に組み込まれる。即ち、上記添え板５８，５９が外板１０，１２に該当し、鉄骨梁５４の上下フランジ５４ａ，５４ｂおよびウェブ５４ｃが中板１４に該当して、この各接合部が摩擦ダンパ８として構成され、この摩擦ダンパ８によって建物架構に入力される水平方向の振動を減衰する機能が付加される。
【００５２】
図１４はその上方フランジ５４ａと５５ａとの接合部を例にして上記本発明の第２実施例にかかる制振構造を組み込んだ状態を示している。図示するように、上記添え板５８，５９はブラケット材５５側に高力ボルト１６，ナット１８を介して確実に締め付け固定（この部分は溶接でも良い）された上で、該添え板５８，５９と上方フランジ５４ａとの間に摩擦板２２，２２を介在させて摺動自在とし、これら三者間に高力ボルト１６の軸力をもって摩擦力を発生させるようになっている。
【００５３】
即ち、上記摩擦ダンパ８は、鉄骨梁５４の上方フランジ５４ａ端部を滑り板とし、この滑り板となった上方フランジ５４ａには、高力ボルト１６の貫通部分に水平方向に上方フランジ５４ａおよび添え板５８，５９が相互にそれらの板面に沿って縦横に移動可能にボルト挿通孔１４ａが形成され、これにより鉄骨梁５４とブラケット材５５とは相互にそれらの板面に沿う任意の縦横方向への相対移動が許容される。また、上記高力ボルト１６には添え板５８，５９と摩擦板２２，２２と上方フランジ５４ａとの間に圧接力を付加するための付勢手段としての皿ばね３０が設けられる。
【００５４】
図１５と図１６は、本発明にかかるボルト接合部の制振構造をブレースに適用する場合の一例を示すもので、摩擦ダンパ８をブレース６０の途中を分断した間に介装するようにしたものである。また、この図示例にあっても上記摩擦ダンパ８は、一対の外板１０，１２と摩擦板２２，２２と中板１４、および付勢手段としての皿ばね３０とによって構成される。
【００５５】
即ち、上記外板１０，１２は上記ブレース６０を切断した一方の端部６０ａに取り付けられるとともに、ブレース６０を切断した他方の端部６０ｂが上記中板１４とされ、一対の外板１０，１２間に摩擦板２２，２２を介して中板１４としてのブレース端部６０ｂが挟み込まれる。このとき、この図示例では外板１０，１２はブレース６０より若干幅狭に形成されて上記端部６０ａにボルト，ナット結合（溶接でも良い）されている。また、中板１４のボルト挿通孔１４ａを通って外板１０，１２を貫通する締付け用の高力ボルト１６の外周に、皿ばね３０が挿通されて大径ワッシャ３２と外板１０との間に挟圧されて設けられる。
【００５６】
図１７は本発明にかかるボルト接合部の制振構造を建物内に設置した場合の一例を示すもので、建物内における互いに平行な上階の床７０ａと下階の床７０ｂとの間に本発明による摩擦ダンパ８を剛棒７２ａ、７２ｂを介して設置したものである。ここで、摩擦ダンパ８はその滑動面すなわち外板１０，１２や中板１４の板面が、上階の床７０ａおよび下階の床７０ｂの床面と平行になるように設置する。従って、上階の床７０ａと下階の床７０ｂとの間に相対変位力が入力された際には、剛棒７２ａ、７２ｂを介してこの相対変位力が摩擦ダンパ８に伝達され、一対の外板１０，１２間に中板１４が挟まれた状態で外板１０，１２および上記中板１４が相互にそれらの板面に沿う任意の縦横方向へ自在に相対移動するため、一対の外板１０，１２間にボルト１６の軸力Ｎ、つまり締付け力を付加した状態で両者が滑動する際に、ボルト１６が傾斜されるなどしてこじれを生ずることなく、スムーズに相対移動することができ、摩擦ダンパ８は上階の床７０ａと下階の床７０ｂとの間の相対変位力を吸収して有効に制振機能を果たすことになる。
【図面の簡単な説明】
【００５７】
【図１】本発明のボルト接合部の制振構造の一実施形態を示す要部の断面図である。
【図２】本発明のボルト接合部の制振構造の一実施形態を示す要部の平面図である。
【図３】本発明のボルト接合部の制振構造の他の実施形態を示す要部の断面図である。
【図４】本発明のボルト接合部の制振構造の他の実施形態を示す要部の平面図である。
【図５】本発明のボルト接合部の制振構造の他の実施形態に用いられる付勢手段のばね特性図である。
【図６】本発明のボルト接合部の制振構造の更に他の実施形態を示す要部の断面図である。
【図７】本発明のボルト接合部の制振構造に用いるステンレス板の平面図である。
【図８】本発明のボルト接合部の制振構造の更に他の実施形態を示す要部の断面図である。
【図９】本発明のボルト接合部の制振構造に用いるステンレス板の平面図である。
【図１０】本発明のボルト接合部の制振構造の更に他の実施形態を示す要部の断面図である。
【図１１】本発明のボルト接合部の制振構造の更に他の実施形態を示す要部の断面図である。
【図１２】本発明のボルト接合部の制振構造の更に他の実施形態を示す要部の断面図である。
【図１３】本発明のボルト接合部の制振構造を鉄骨柱と鉄骨梁との接合部に適用する場合の一例を示す正面図である。
【図１４】図１３の要部を示す断面図である。
【図１５】本発明のボルト接合部の制振構造を分断形成したブレースの途中に介在させて適用した例を示す正面図である。
【図１６】図１５の側面図である。
【図１７】本発明のボルト接合部の制振構造の更に他の実施形態を示す要部の断面図である。
【図１８】従来のボルト接合部を示す断面図である。
【符号の説明】
【００５８】
８  摩擦ダンパ
１０，１２  外板（第１圧接板）
１４  中板（第２圧接板）
１６  高力ボルト
１８  ナット
２０  摩擦ダンパ
２２  摩擦板
３０  皿ばね（付勢手段）
３２，３２ａ  大径ワッシャ（締付け部）
５２  鉄骨柱
５４  鉄骨梁
【図１】
2008231912.tif 000003
【図２】
2008231912.tif 000004
【図３】
2008231912.tif 000005
【図４】
2008231912.tif 000006
【図５】
2008231912.tif 000007
【図６】
2008231912.tif 000008
【図７】
2008231912.tif 000009
【図８】
2008231912.tif 000010
【図９】
2008231912.tif 000011
【図１０】
2008231912.tif 000012
【図１１】
2008231912.tif 000013
【図１２】
2008231912.tif 000014
【図１３】
2008231912.tif 000015
【図１４】
2008231912.tif 000016
【図１５】
2008231912.tif 000017
【図１６】
2008231912.tif 000018
【図１７】
2008231912.tif 000019
【図１８】
2008231912.tif 000020